(57)【要約】  紙葉類処理装置１は、筐体２に形成された開口２１と収納部３１〜３３とを互いに接続する主搬送路４１１及び戻り搬送路４１２を含みかつ、紙葉類を搬送する搬送部４２と、主搬送路４１１における所定の検出位置に配置された検出部５と、検出部５の検出結果に応じて搬送部４２を制御する制御部２５と、を備える。制御部２５は、主搬送路４１１に沿って搬送される紙葉類を分岐位置において戻り搬送路４１２に引き込み、主搬送路４１１に沿って次の紙葉類を搬送し、次の紙葉類が検出位置に到達したことに基づいて、戻り搬送路４１２上の紙葉類の搬送と、主搬送路４１１上の紙葉類の搬送とをそれぞれ制御し、それによって合流位置において紙葉類における所定位置同士が揃うように重ね合わせて束にする。
2009118782.tif 000002
【特許請求の範囲】
【請求項１】
紙葉類処理装置であって、
前記紙葉類が通過する開口を有する筐体と、
前記筐体内に配設されて紙葉類を収納する収納部と、
前記開口と収納部とを互いに接続する主搬送路、及び、前記主搬送路における所定位置から分岐すると共に、当該分岐位置よりも搬送方向上流側の位置で前記主搬送路に合流する戻り搬送路を含みかつ、前記主搬送路及び戻り搬送路に沿って紙葉類を搬送する搬送部と、
前記主搬送路における合流位置よりも搬送方向上流側の検出位置に配置されて、前記主搬送路に沿って搬送される紙葉類が当該検出位置に到達したことを検出する検出部と、
前記検出部の検出結果に応じて前記搬送部を制御し、そのことによって、複数枚の前記紙葉類を、その所定箇所同士が揃うように重ね合わせた束にする制御部と、を備え、
前記制御部は、
（Ｉ）前記主搬送路に沿って搬送される紙葉類を前記分岐位置において戻り搬送路に引き込み、
（II）前記主搬送路に沿って次の紙葉類を搬送し、そして、
（III）前記次の紙葉類が前記検出位置に到達したことに基づいて、前記戻り搬送路上の前記紙葉類の搬送と、前記主搬送路上の前記次の紙葉類の搬送とをそれぞれ制御し、それによって前記合流位置において当該紙葉類における所定箇所同士が揃うように二枚の紙葉類を重ね合わせて束にする
を実行する紙葉類処理装置。
【請求項２】
前記制御部はさらに、
（IV）前記束を前記主搬送路に沿って搬送すると共に、前記分岐位置において戻り搬送路に引き込み、
（Ｖ）前記主搬送路に沿って次の紙葉類を搬送し、
（VI）前記紙葉類が前記検出位置に到達したことに基づいて、前記戻り搬送路上の前記束の搬送と、前記主搬送路上の前記紙葉類の搬送とをそれぞれ制御し、それによって前記合流位置において当該紙葉類における所定箇所同士が揃うように前記束と前記紙葉類とを重ね合わせて新たな束にし、そして、
（VII）前記（IV）〜（VI）を順に必要回数繰り返し、所定枚数の紙葉類を重ね合わせた束を作成する
を実行する請求項１に記載の紙葉類処理装置。
【請求項３】
前記制御部はさらに、
（VIII）前記束を前記主搬送路に沿って搬送して前記開口から筐体外に排出する
を実行する請求項１に記載の紙葉類処理装置。
【請求項４】
前記制御部は、紙葉類を排出させるときに、前記収納部から紙葉類を一枚ずつ繰り出すと共に、当該繰り出した紙葉類を、その所定箇所同士が揃うように重ね合わせた束にした上で前記開口から筐体外に排出する請求項１に記載の紙葉類処理装置。
【請求項５】
前記収納部は、紙葉類を一枚ずつ順次巻き取って収納すると共に、巻き取られた紙葉類を一枚ずつ順次繰り出す請求項１に記載の紙葉類処理装置。
【請求項６】
前記筐体に対し着脱可能に取り付けられると共に、前記収納部に補充するための紙葉類及び前記収納部から回収された紙葉類を収納可能なカセットをさらに備え、
前記カセットは、前記戻り搬送路から分岐した分岐搬送路を介して、前記戻り搬送路に接続されている請求項１に記載の紙葉類処理装置。
【請求項７】
紙葉類を排出口を通じて筐体外に排出する紙葉類処理方法であって、
（ｉ）前記筐体内の収納部から繰り出した紙葉類を主搬送路に沿って搬送すると共に、当該紙葉類を前記主搬送路から分岐した戻り搬送路に引き込むステップ、
（ii）前記収納部から次の紙葉類を繰り出すと共に、当該次の紙葉類を前記主搬送路に沿って搬送するステップ、
（iii）前記次の紙葉類が前記主搬送路の所定の到達位置に到達したことに基づいて、前記戻り搬送路上の前記紙葉類の搬送と、前記主搬送路上の前記次の紙葉類の搬送とをそれぞれ制御し、それによって、前記戻り搬送路が前記主搬送路に合流する合流位置において、当該紙葉類における所定箇所同士が揃うように重ね合わせた束にするステップ、及び
（iv）前記束を前記主搬送路に沿って搬送して前記排出口から前記筐体外に排出するステップ
を含む紙葉類処理方法。
【請求項８】
前記（iii）のステップの後に、
（ｖ）前記束を前記主搬送路に沿って搬送すると共に、前記分岐位置において戻り搬送路に引き込むステップ、
（vi）前記主搬送路に沿って次の紙葉類を搬送するステップ、
（vii）前記紙葉類が前記到達位置に到達したことに基づいて、前記戻り搬送路上の前記束の搬送と、前記主搬送路上の前記紙葉類の搬送とをそれぞれ制御し、それによって前記合流位置において当該紙葉類における所定箇所同士が揃うように前記束と前記紙葉類とを重ね合わせて新たな束にするステップ、及び、
（viii）前記（ｖ）〜（vii）を必要回数繰り返した後に、前記（iv）を実行するステップ、
をさらに含む請求項７に記載の紙葉類処理方法。
【請求項９】
開口を通じて投入された紙葉類を受け付けるための紙葉類処理方法であって、
（ｉ）前記開口に投入された紙葉類を主搬送路に沿って搬送すると共に、当該紙葉類を前記主搬送路から分岐した戻り搬送路に引き込むステップ、
（ii）前記開口に投入された次の紙葉類を前記主搬送路に沿って搬送するステップ、
（iii）前記次の紙葉類が前記主搬送路の所定の到達位置に到達したことに基づいて、前記戻り搬送路上の前記紙葉類の搬送と、前記主搬送路上の前記次の紙葉類の搬送とをそれぞれ制御し、それによって、前記戻り搬送路が前記主搬送路に合流する合流位置において、当該紙葉類における所定箇所同士が揃うように重ね合わせた束にするステップ、
（iv）前記束を前記分岐位置において戻り搬送路に引き込むステップ、及び
（ｖ）前記（ii）〜（iv）を、前記開口に紙葉類が投入される毎に繰り返すステップ、
を含む紙葉類処理方法。
【請求項１０】
（vi）形成した前記束を繰出部へ搬送すると共に、当該繰出部から前記束の紙葉類を一枚ずつ繰り出して前記収納部に収納するステップをさらに含む請求項９に記載の紙葉類処理方法。
【請求項１１】
（vii）前記紙葉類の収納がキャンセルされたときに、形成した前記束を前記主搬送路に沿って搬送すると共に、前記開口から束のまま排出するステップをさらに含む請求項９に記載の紙葉類処理方法。
【発明の詳細な説明】
【技術分野】
【０００１】
本発明は、紙葉類処理装置及び紙葉類処理方法に関する。
【背景技術】
【０００２】
紙幣、小切手、チケット等を含む紙葉類を処理する紙葉類処理装置の一つとして、特許文献１には紙幣入金装置が開示されている。この紙幣入金装置は、入金口を通じて筐体内に投入された紙幣が入金可能か否かを識別部により識別する。そして、入金不能と識別されたリジェクト紙幣は、それが複数枚存在するときには、互いに重ね合わせた束にされて返却口を通じて排出される。ここで、この紙幣入金装置では、ステージの上にリジェクト紙幣を順次落下させることによって、複数枚の紙幣を重ね合わせた束にしている。しかしながらこの構成では、紙幣を揃えて束にすることができない。このため、紙幣の束に大きさの異なる紙幣が含まれるときには、返却口から排出された束をユーザが掴んだときに、紙幣が揃っていないことで長さの短い紙幣を掴むことができずに落としてしまう虞がある。また、揃っていない紙幣の束は、見た目も良くない。【０００３】
特許文献２には、寸法差を有する紙幣の後端同士を揃えて束にする集積装置が開示されている。この集積装置では、略矩形箱状の集積空間内に紙幣を順次投入して、それらを積み重ねるようにしていると共に、投入される紙幣の長さに対応するストッパを集積空間内に配置することによって、その紙幣の後端を集積空間の後壁に当てて積み重ねるようにしている。しかしながらこの集積装置は、投入される紙幣の長さに応じてストッパを切り替えなければならず、そのストッパの切り替えのために紙幣の長さを予め検知しておく必要がある。また、集積空間内に投入される紙幣の長さが一枚一枚異なっているときには、一枚ごとにストッパの切り替え動作を行わなければならず、紙幣の集積を素早く行うことができないという不都合がある。【０００４】
特許文献３には、紙幣を搬送する第１の搬送路の途中位置に、第２の搬送路を合流させて構成された集積機構を含む入出金機が開示されている。この集積機構では、第１の搬送路に沿って紙幣を搬送することに同期して、第２の搬送路に沿って紙幣を搬送することにより、第１及び第２の搬送路の合流位置において、先端同士を揃えて紙幣を重ね合わせる。しかしながらこの集積機構では、多数の紙幣を次々と集積させるときには、紙幣の束を、第１の搬送路上でその合流位置を挟んで往復移動させる必要がある。このため集積に要する処理時間が長くなってしまう。また、紙幣を往復移動させるだけの搬送路の長さが必要であり、筐体内に大きなスペースが必要になってしまうという問題がある。【０００５】
特許文献４には、巻き取り式の収納部を備えた紙幣入出金機が開示されている。こうした入出金機は、大きさの異なる紙幣を一枚ずつ確実に収納したり、収納した紙幣を一枚ずつ確実に繰り出したりすることができるものの、複数の紙幣を積み重ねた束にすることはできない。
【特許文献１】特開２００３−１５７４６１号公報
【特許文献２】特開２００４−１４９２６４号公報
【特許文献３】米国特許第６２７３４１３号明細書
【特許文献４】特開２０００−１１２３８号公報
【発明の開示】
【発明が解決しようとする課題】
【０００６】
本発明は、かかる点に鑑みてなされたものであり、その目的とするところは、複数の紙葉類を揃えた状態で束にする処理が可能な紙葉類処理装置及び処理方法として、大きなスペースを必要とせず、しかも迅速に処理し得る処理装置及び処理方法を提供することにある。
【課題を解決するための手段】
【０００７】
本発明の一側面によると、紙葉類処理装置は、前記紙葉類が通過する開口を有する筐体と、前記筐体内に配設されて紙葉類を収納する収納部と、前記開口と収納部とを互いに接続する主搬送路、及び、前記主搬送路における所定位置から分岐すると共に、当該分岐位置よりも搬送方向上流側の位置で前記主搬送路に合流する戻り搬送路を含みかつ、前記主搬送路及び戻り搬送路に沿って紙葉類を搬送する搬送部と、前記主搬送路における合流位置よりも搬送方向上流側の検出位置に配置されて、前記主搬送路に沿って搬送される紙葉類が当該検出位置に到達したことを検出する検出部と、前記検出部の検出結果に応じて前記搬送部を制御し、そのことによって、複数枚の前記紙葉類を、その所定箇所同士が揃うように重ね合わせた束にする制御部と、を備える。【０００８】
前記制御部は、（Ｉ）前記主搬送路に沿って搬送される紙葉類を前記分岐位置において戻り搬送路に引き込み、（II）前記主搬送路に沿って次の紙葉類を搬送し、そして、（III）前記次の紙葉類が前記検出位置に到達したことに基づいて、前記戻り搬送路上の前記紙葉類の搬送と、前記主搬送路上の前記次の紙葉類の搬送とをそれぞれ制御し、それによって前記合流位置において当該紙葉類における所定箇所同士が揃うように二枚の紙葉類を重ね合わせて束にする、を実行する。【０００９】
この構成によると、主搬送路の一部と戻り搬送路とによって、紙葉類の循環搬送が可能であると共に、紙葉類（及びその束）を主搬送路から待機させることが可能なループ状の搬送路が、開口と収納部との間に配置される。【００１０】
このループ状搬送路によって、複数の紙葉類を揃えた状態で重ねて束にすることが実現し得る。つまり、主搬送路に沿って搬送している紙葉類（第１の紙葉類）を、分岐位置において戻り搬送路に引き込むと共に、次の紙葉類（第２の紙葉類）を主搬送路に沿って搬送する。そうして、第２の紙葉類が、主搬送路上の検出位置に到達したことに基づいて、前記戻り搬送路上の第１の紙葉類の搬送と、前記主搬送路上の第２の紙葉類の搬送とをそれぞれ制御し、そのことによって、主搬送路と戻り搬送路との合流位置において、第１及び第２の紙葉類における所定箇所同士が揃うように重ね合わせることが可能になる。ここで、「所定箇所」は、例えば紙葉類の前端や後端とすればよい。こうして、複数の紙葉類の所定箇所同士を揃えた状態で束にすることが可能になる。【００１１】
この構成では、集積機構のループ状搬送路を、主搬送路の一部を利用して構成している。このため、集積機構の配置に要するスペースが節約される。【００１２】
前記制御部はさらに、（IV）前記束を前記主搬送路に沿って搬送すると共に、前記分岐位置において戻り搬送路に引き込み、（Ｖ）前記主搬送路に沿って次の紙葉類を搬送し、（VI）前記紙葉類が前記検出位置に到達したことに基づいて、前記戻り搬送路上の前記束の搬送と、前記主搬送路上の前記紙葉類の搬送とをそれぞれ制御し、それによって前記合流位置において当該紙葉類における所定箇所同士が揃うように前記束と前記紙葉類とを重ね合わせて新たな束にし、そして、（VII）前記（IV）〜（VI）を順に必要回数繰り返し、所定枚数の紙葉類を重ね合わせた束を作成する、を実行してもよい。【００１３】
こうすることで、紙葉類の束をループ状搬送路で周回させる度に、その束に対して新たな紙葉類を、その所定箇所同士が揃うように重ね合わせることが可能になる。こうして所望の枚数の紙葉類の束を作ることができる。この構成では、複数枚の紙葉類を集積させるときに、紙葉類の束をループ状搬送路で周回させることから、そうした束を搬送路上で往復移動させる場合に比べて、集積に要する処理時間が短縮する。【００１４】
前記制御部はさらに、（VIII）前記束を前記主搬送路に沿って搬送して前記開口から筐体外に排出する、を実行してもよい。【００１５】
こうすることで、所望の枚数の紙葉類を揃えた状態で重ねた束が、開口を通じて筐体外に排出される。複数枚の紙葉類が一度に排出されるため、ユーザの取り忘れが防止される。また、紙葉類が揃っているため、ユーザは、その束を掴みやすく、紙葉類の掴み漏れがなくなる。【００１６】
前記制御部は、紙葉類を排出させるときに、前記収納部から紙葉類を一枚ずつ繰り出すと共に、当該繰り出した紙葉類を、その所定箇所同士が揃うように重ね合わせた束にした上で前記開口から筐体外に排出する、としてもよい。【００１７】
前記収納部は、紙葉類を一枚ずつ順次巻き取って収納すると共に、巻き取られた紙葉類を一枚ずつ順次繰り出す、としてもよい。【００１８】
前記のループ状搬送路を用いた、紙葉類の集積動作は、紙葉類を一枚ずつ合流位置に搬送する必要がある。紙葉類を一枚ずつ順次巻き取って収納すると共に、巻き取られた紙葉類を一枚ずつ順次繰り出すことが可能な巻き取り式の収納部は、その収納部から合流位置に、紙葉類を確実に一枚ずつ搬送することが可能である。このため、巻き取り式の収納部は、紙葉類の集積動作を行う上で適している。【００１９】
前記紙葉類処理装置は、前前記筐体に対し着脱可能に取り付けられると共に、前記収納部に補充するための紙葉類及び前記収納部から回収された紙葉類を収納可能なカセットをさらに備え、前記カセットは、前記戻り搬送路から分岐した分岐搬送路を介して、前記戻り搬送路に接続されている、としてもよい。【００２０】
こうすることで、戻り搬送路は、カセットを主搬送路に対して接続するための搬送路の一部を構成することになる。つまり、集積機構を構成するための戻り搬送路を、それとは別の用途にも兼用することによって、集積機構の配置に要するスペースがさらに節約される。【００２１】
本発明の他の側面によると、紙葉類処理方法は、紙葉類を排出口を通じて筐体外に排出する方法である。この処理方法は、（ｉ）前記筐体内の収納部から繰り出した紙葉類を主搬送路に沿って搬送すると共に、当該紙葉類を前記主搬送路から分岐した戻り搬送路に引き込むステップ、（ii）前記収納部から次の紙葉類を繰り出すと共に、当該次の紙葉類を前記主搬送路に沿って搬送するステップ、（iii）前記次の紙葉類が前記主搬送路の所定の到達位置に到達したことに基づいて、前記戻り搬送路上の前記紙葉類の搬送と、前記主搬送路上の前記次の紙葉類の搬送とをそれぞれ制御し、それによって、前記戻り搬送路が前記主搬送路に合流する合流位置において、当該紙葉類における所定箇所同士が揃うように重ね合わせた束にするステップ、及び（iv）前記束を前記主搬送路に沿って搬送して前記排出口から前記筐体外に排出するステップ、を含む。【００２２】
また、前記紙葉類処理方法は、前記（iii）のステップの後に、（ｖ）前記束を前記主搬送路に沿って搬送すると共に、前記分岐位置において戻り搬送路に引き込むステップ、（vi）前記主搬送路に沿って次の紙葉類を搬送するステップ、（vii）前記紙葉類が前記到達位置に到達したことに基づいて、前記戻り搬送路上の前記束の搬送と、前記主搬送路上の前記紙葉類の搬送とをそれぞれ制御し、それによって前記合流位置において当該紙葉類における所定箇所同士が揃うように前記束と前記紙葉類とを重ね合わせて新たな束にするステップ、及び、（viii）前記（ｖ）〜（vii）を必要回数繰り返した後に、前記（iv）を実行するステップ、をさらに含んでもよい。【００２３】
本発明のさらに別の側面によると、紙葉類処理方法は、開口を通じて投入された紙葉類を受け付けるための方法である。この処理方法は、（ｉ）前記開口に投入された紙葉類を主搬送路に沿って搬送すると共に、当該紙葉類を前記主搬送路から分岐した戻り搬送路に引き込むステップ、（ii）前記開口に投入された次の紙葉類を前記主搬送路に沿って搬送するステップ、（iii）前記次の紙葉類が前記主搬送路の所定の到達位置に到達したことに基づいて、前記戻り搬送路上の前記紙葉類の搬送と、前記主搬送路上の前記次の紙葉類の搬送とをそれぞれ制御し、それによって、前記戻り搬送路が前記主搬送路に合流する合流位置において、当該紙葉類における所定箇所同士が揃うように重ね合わせた束にするステップ、（iv）前記束を前記分岐位置において戻り搬送路に引き込むステップ、及び（ｖ）前記（ii）〜（iv）を、前記開口に紙葉類が投入される毎に繰り返すステップ、を含む。【００２４】
前記処理方法は、（vi）形成した前記束を繰出部へ搬送すると共に、当該繰出部から前記束の紙葉類を一枚ずつ繰り出して前記収納部に収納するステップをさらに含む、としてもよい。【００２５】
前記処理方法は、（vii）前記紙葉類の収納がキャンセルされたときに、形成した前記束を前記主搬送路に沿って搬送すると共に、前記開口から束のまま排出するステップをさらに含む、としてもよい。
【発明の効果】
【００２６】
本発明によれば、主搬送路の一部と戻り搬送路とによってループ状の搬送路を含む集積機構を構成することで、複数枚の紙葉類を揃えた状態で束にすることが迅速にできる、また、その集積機構のために大きなスペースを必要としないため、装置を小型化することができる。
【図面の簡単な説明】
【００２７】
【図１】図１は、入出金機の構成を示す図である。
【図２】図２は、ループ状搬送路の部分を拡大して示す図である。
【図３】図３は、入出金機の制御に関連する構成を示すブロック図である。
【図４】図４は、ループ状搬送路によって紙幣を重ねる動作の最初のステップを示す図である。
【図５】図５は、ループ状搬送路によって紙幣を重ねる動作の次のステップを示す図である。
【図６】図６は、ループ状搬送路によって紙幣を重ねる動作のさらに次のステップを示す図である。
【図７】図７は、入金処理時における紙幣の搬送経路を示す説明図である。
【図８】図８は、一枚の紙幣を入出金口から払い出す処理時における紙幣の搬送経路を示す説明図である。
【図９】図９は、補充部から各スタッカへ紙幣を補充する処理時における紙幣の搬送経路を示す説明図である。
【図１０】図１０は、各スタッカから回収部へ紙幣を回収する処理時における紙幣の搬送経路を示す説明図である。
【図１１】図１１は、複数枚の紙幣を入出金口から払い出す処理時における紙幣の搬送経路を示す説明図である。
【符号の説明】
【００２８】
１      入出金機（紙葉類処理装置）
２      筐体
２１    入出金口（開口）
２５    制御部
３１    第１スタッカ（収納部）
３２    第２スタッカ（収納部）
３３    第３スタッカ（収納部）
３４    カセット
４１１  主搬送路
４１２  戻り搬送路
４１３  補充部用分岐搬送路（分岐搬送路）
４２    搬送駆動部（搬送部）
５      紙幣検出センサ（検出部）
【発明を実施するための最良の形態】
【００２９】
以下、本発明の紙葉類処理装置の一形態である入出金機の実施形態を図面に基づいて詳細に説明する。尚、以下の好ましい実施形態の説明は、本質的に例示に過ぎず、本発明、その適用物或いはその用途を制限することを意図するものではない。【００３０】
図１は、本実施形態に係る入出金機１の内部構成を示している。この入出金機１は、筐体２の内外を連通させるように設けられかつ、紙幣が通過する入出金口２１、筐体２内に配設されて紙幣の一枚一枚について、その真偽、金種、及び正損を識別する識別部２２、筐体２内に配設されかつ、それぞれ紙幣を収納すると共に、収納している紙幣を繰り出すことが可能な第１〜第３スタッカ３１〜３３、筐体２に対して着脱可能に取り付けられるカセット３４、及び、前記入出金口２１、識別部２２、第１〜第３スタッカ３１〜３３、カセット３４の間をつなぐ搬送路４１を含みかつ、その搬送路４１に沿って紙幣及びそれの束を搬送する搬送駆動部４２（図３参照）、を含む。尚、以下において「紙幣の搬送」という場合、紙幣の束の搬送も含まれ得る。【００３１】
入出金機１はまた、図３に示すように、通信回線を介して上位端末２４との間でデータの送受信を行う通信部２３と、前記各部２２、２３、３１〜３４、４２の制御を行う制御部２５と、を含む。制御部２５は、この入出金機１よりも上位の装置である上位端末２４からの指令を受けて、前記各部２２、２３、３１〜３４、４２の制御を行う。このことによって、入出金機１は、後述する入金処理、払出処理、補充処理及び回収処理を含む各種処理を実行することになる。【００３２】
ここで、入出金機１をそれ単独で機能し得る装置としてもよく、その場合、制御部２５は所定のインターフェースを通じてユーザにより設定された指令を受けて、前記各部２２、２３、３１〜３４、４２の制御を行うことになる。【００３３】
入出金機１は、いわゆる循環式の入出金機１であり、入金処理によって各スタッカ３１〜３３に収納された紙幣は、紙幣の出金処理の際に、そこから繰り出されて入出金口２１から払い出される。【００３４】
尚、以下においては、説明の便宜上、図１における左側を前、右側を後と呼ぶことにする。【００３５】
入出金口２１は、入金処理の際に、ユーザが紙幣を投入する口であると共に、出金処理等の際に、ユーザに紙幣を払い出す口である。入出金口２１は、図１に示すように、筐体２における前面の上部に設けられている。この入出金口２１は、複数枚の紙幣を投入するときには、紙幣を一枚ずつ受け付ける。一方で、この入出金口２１は、複数枚の紙幣を払い出すときには、後述するように、複数枚の紙幣の先端同士を揃えて重ね合わせた束の状態で払い出す。【００３６】
第１〜第３スタッカ３１〜３３は、筐体２内において、上から第１、第２及び第３の順で、上下方向に積み重なって配設されている。第１〜第３スタッカ３１〜３３は、例えば入出金口２１から（例えば釣銭として）払出される紙幣を金種別に収納する。【００３７】
各スタッカ３１〜３３は、紙幣を一枚ずつ巻き取って収納すると共に、その収納した順番とは逆順で、紙幣を一枚ずつ繰り出す、いわゆるテープ巻き取り式に構成されている。具体的に、箱状の各スタッカ３１〜３３の内部には、紙幣を巻き取る巻き取りローラ３５が、図１における時計回り方向及び反時計回り方向の双方に回転可能に配設されている。【００３８】
巻き取りローラ３５の外周面における所定の箇所には、一対のテープ３６１，３６２の先端がそれぞれ取り付けられている。この一対のテープ３６１，３６２の基端はそれぞれ、スタッカ３１〜３３の内部に配設されたテープローラ３７１，３７２に取り付けられている。各テープローラ３７１，３７２は、巻き取りローラ３５に同期して回転する。このため、巻き取りローラ３５が、図１における反時計回りに回転したときには、各テープローラ３７１，３７２もそれぞれ反時計回りに回転することで、テープローラ３７１，３７２からテープ３６１，３６２が繰り出されると共に、その繰り出されたテープ３６１，３６２が巻き取りローラ３５に巻き取られる。一方、巻き取りローラ３５が、図１における時計回りに回転したときには、各テープローラ３７１，３７２もそれぞれ時計回りに回転することで、巻き取りローラ３５からテープ３６１，３６２が繰り出されると共に、その繰り出されたテープ３６１，３６２がテープローラ３７１，３７２に巻き取られる。【００３９】
各スタッカ３１〜３３の前面には、スタッカ３１〜３３の内外を連通させる出入口３８が形成されている。この出入口３８を通じて、スタッカ３１〜３３内に紙幣が進入すると共に、スタッカ３１〜３３内から紙幣が送り出される。【００４０】
各スタッカ３１〜３３は、紙幣を収納するときには、出入口３８を通じて内部に進入した一枚の紙幣の両面を一対のテープ３６１，３６２によって挟みつつ、巻き取りローラ３５に巻き取る。こうして、各スタッカ３１〜３３は、紙幣を一枚ずつ巻き取りローラ３５に巻き取って収納する。【００４１】
一方、各スタッカ３１〜３３は、紙幣を繰り出すときには、巻き取りローラ３５を逆転駆動させることによって、この巻き取りローラ３５から一対のテープ３６１，３６２と共に紙幣を繰り出す。こうして、巻き取った順とは逆順で、紙幣を一枚ずつ、出入口３８を通じて各スタッカ３１〜３３の外に送り出す。【００４２】
カセット３４は、略矩形箱状を有しており、その内部における上下方向の略中央位置には、仕切板３４ａが配設されている。これによって、カセット３４内は、上下に二つの領域に分割されている。この二つの領域の内、上側の領域は、紙幣を収納すると共に、収納している紙幣を繰り出し可能な補充部３４１である。一方、下側の領域は、紙幣を収納するものの、収納している紙幣を繰り出し不能な回収部３４５である。【００４３】
補充部３４１は、後述するように各スタッカ３１〜３３に補充する紙幣を収納する部分である。補充部３４１は、紙幣を上下方向に積み重ねて収納する収納空間を備えており、この収納空間内には、紙幣が載置されるステージ３４２が配設されている。ステージ３４２は、パンタグラフ機構によって上下方向に変位可能とされており（図１の実線及び一点鎖線参照）、このステージ３４２は、そこに載置される紙幣の量に応じて上下方向に変位する。このため、収納空間内で積み重なって収納される最上位の紙幣の位置が、常に収納空間の上端部となるように設定される。【００４４】
補充部３４１内にはまた、複数のプーリ間に巻き掛けられたベルトを含むベルト搬送機構３４３が配設されている。このベルト搬送機構３４３は、そのベルトが前記収納空間内における最上位の紙幣に当接するように配設されていると共に、ベルト搬送機構３４３は、カセット３４の上面に開口する出入口３４４に連通している。これによってこのベルト搬送機構３４３は、後述するように出入口３４４を通じて補充部３４１内に進入した紙幣を、一枚一枚、ステージ３４２上に載置させる一方、ステージ３４２上に載置されている紙幣を、一枚一枚、繰り出して、前記出入口３４４を通じて補充部３４１外に送り出す。【００４５】
回収部３４５は、リジェクト紙幣や、循環させる必要のない紙幣（例えば釣銭とはならない高額紙幣）を収納する部分である。回収部３４５もまた、紙幣を上下方向に積み重ねて収納する収納空間を備えており、この収納空間内には、補充部３４１と同様に、パンタグラフ機構によって上下方向に変位可能でかつ、紙幣が載置されるステージ３４６が配設されている（図１の実線及び一点鎖線参照）。【００４６】
回収部３４５は、カセット３４の後壁における上下方向の中間位置に形成された入口３４７によって、その内外が連通しており、この入口３４７を通じて、回収部３４５内に紙幣が進入する。入口３４７の近傍でかつ、収納空間の近傍には、回転駆動される羽根車３４８が配設されている。この羽根車３４８は、入口３４７を通じて回収部３４５内に進入してきた紙幣を叩いて、その紙幣をステージ３４６上に載置させるためのものである。このように回収部３４５内には、羽根車３４８のみが配設されているため、収納空間内に収納されている紙幣を繰り出して、回収部３４５の外に送り出すことはできない。【００４７】
搬送路４１は、プーリ間に巻き掛けられた搬送ベルトと、紙幣の搬送を案内するガイド板と、紙幣を厚み方向に挟み込むローラ対と、搬送路４１上の所定位置に配置された分岐部材と、の組み合わせによって構成され、紙幣のみならず、紙幣が重なった束も搬送可能に構成されている。搬送路４１は、主搬送路４１１と、戻り搬送路４１２と、を含んでいる。【００４８】
主搬送路４１１は、入出金口２１と、各スタッカ３１〜３３及び回収部３４５とを互いに連結する搬送路である。主搬送路４１１は、入出金口２１から識別部２２を経て水平方向に延びた後に方向転換して、上下方向に積み重なったスタッカ３１〜３３の側方位置を下方に向かって延びて配設されている。主搬送路４１１の先端は第３スタッカ３３に接続されている。【００４９】
主搬送路４１１は、図１に二点鎖線で示す位置よりもスタッカ側の上流側搬送路４１１ａと、その位置よりも入出金口２１側の下流側搬送路４１１ｂとに大別することが可能である。これら上流側搬送路４１１ａと下流側搬送路４１１ｂとは互いに異なる駆動源によって駆動される。つまり、上流側搬送路４１１ａは、第１搬送駆動部４２１（図３参照）によって駆動され、下流側搬送路４１１ｂは、第２搬送駆動部４２２（図３参照）によって駆動される。このため、上流側搬送路４１１ａ上での紙幣の搬送と、下流側搬送路上での紙幣の搬送とは、互いに独立に行い得る。【００５０】
上流側搬送路４１１ａの所定位置には、第１及び第２スタッカ３１，３２のそれぞれに向かって延びるスタッカ用分岐搬送路が分岐していると共に、回収部３４５に向かって延びる回収部用分岐搬送路が分岐している。回収部用分岐搬送路の先端は、カセット３４を筐体２に取り付けた状態において入口３４７に連通する。【００５１】
各分岐搬送路の分岐位置には、紙幣の搬送方向を振り分ける分岐部材４３１，４３２，４３３が配設されている。各分岐部材４３１，４３２，４３３は、枢軸周りに揺動可能に配設された爪状の部材によって構成されている。この各分岐部材４３１，４３２，４３３の揺動が、制御部２５によって制御されることにより、上流側搬送路４１１ａ上を搬送される紙幣が、第１〜第３スタッカ３１〜３３及び回収部３４５のいずれかに搬送されると共に、第１〜第３スタッカ３１〜３３のいずれかから繰り出された紙幣が上流側搬送路４１１ａ上を入出金口２１に向かって搬送されることになる。【００５２】
戻り搬送路４１２は、下流側搬送路４１１ｂにおける識別部よりも入出金口２１側の所定位置において下流側搬送路４１１ｂから分岐していると共に、下流側搬送路４１１ｂにおける識別部２２よりもスタッカ側の所定位置において下流側搬送路４１１ｂに合流している。こうして、戻り搬送路４１２と下流側搬送路４１１ｂとによって、ループ状の搬送路が構成される。このループ状搬送路４４は、後述するように、複数枚の紙幣を重ね合わせて束にする集積機構（バンチング機構）を構成する。従って、以下においては、集積機構も、同じ参照符号４４を付す場合がある。【００５３】
戻り搬送路４１２と下流側搬送路４１１ｂとの分岐位置には、図２にも示すように、分岐部材４３４が配設されている。また、戻り搬送路４１２と下流側搬送路との合流位置の近傍には、切替部材４３５が配設されている。【００５４】
分岐部材４３４は、所定の枢軸周りに揺動可能に取り付けられた爪状の部材であって、制御部２５による制御によって、図２に実線で示す水平状態と一点鎖線で示す傾斜状態とにその状態が切り替わる。分岐部材４３４を傾斜状態にしたときには、下流側搬送路４１１ｂ上を入出金口２１に向かって搬送される紙幣が、戻り搬送路４１２側に搬送される、又は、戻り搬送路４１２上を分岐位置に向かって搬送される紙幣が、下流側搬送路４１１ｂに戻されることになる（同図の一点鎖線の矢印参照）。【００５５】
一方、この分岐部材４３４を水平状態にしたときには、下流側搬送路４１１ｂ上を入出金口２１に向かって搬送される紙幣が、そのまま入出金口２１に搬送される、又は、下流側搬送路４１１ｂ上をスタッカ側に向かって搬送される紙幣が、そのまま分岐位置を通過することになる（同図の実線の矢印参照）。【００５６】
切替部材４３５も同様に、所定の枢軸周りに揺動可能に取り付けられた爪状の部材であって、制御部２５による制御によって、図２に実線で示す鉛直状態と一点鎖線で示す傾斜状態とにその状態が切り替わる。【００５７】
切替部材４３５を鉛直状態にしたときには、戻り搬送路４１２上を合流位置に向かって搬送される紙幣が、下流側搬送路４１１ｂに搬送されることになる（同図の実線の矢印参照）。【００５８】
一方、この切替部材４３５を傾斜状態にしたときには、下流側搬送路４１１ｂ上を入出金口２１に向かって搬送される紙幣が、そのまま合流位置を通過する、又は、下流側搬送路４１１ｂ上をスタッカ側に向かって搬送される紙幣が、そのまま合流位置を通過することになる（同図の一点鎖線の矢印参照）。【００５９】
このループ状搬送路４４の駆動源は、一対のプーリに巻き掛けられたベルトによって構成されており、このベルトは下流側搬送路４１１ｂの一部をも構成する。このため、戻り搬送路４１２は、下流側搬送路４１１ｂと共に第２搬送駆動部４２２によって駆動される。つまり、ループ状搬送路４４は、第２搬送駆動部４２２によって駆動される。一方で、前述したように、上流側搬送路４１１ａは第１搬送駆動部４２１によって駆動されるため、上流側搬送路４１１ａ上における紙幣の搬送と、ループ状搬送路４４上における紙幣の搬送とは、互いに独立して行い得る。【００６０】
戻り搬送路４１２における所定位置には、補充部３４１に向かって延びる補充部用分岐搬送路４１３が分岐している。補充部用分岐搬送路４１３の先端は、カセット３４を筐体２に取り付けた状態で、その出入口３４４に接続される。戻り搬送路４１２と補充部用分岐搬送路４１３との分岐位置には、枢軸周りに揺動可能に配設された爪状の部材からなる分岐部材４３６が配設されている。制御部２５によって、この分岐部材４３６の揺動が制御されることで、戻り搬送路４１２上を合流位置に向かって搬送される紙幣を、そのまま合流位置側に搬送させること（同図の実線の矢印参照）と、補充部３４１に向かって搬送させること（同図の一点鎖線の矢印参照）と、が切り替えられる。また、補充部３４１から繰り出された紙幣を戻り搬送路４１２の分岐位置を経由して、主搬送路（下流側搬送路４１１ｂ）に搬送させることもできる。【００６１】
搬送路４１上の所定の位置には、例えば光センサ等からなり、紙幣の到達を検出する紙幣検出センサが適宜配設されている。図１等では、上流側搬送路４１１ａの上端近傍に配設された紙幣検出センサ５のみを図示する。この紙幣検出センサ５は、後述するように、紙幣の集積動作の際に利用されるセンサである。【００６２】
第１及び第２搬送駆動部４２１，４２２は、図示は省略するが、その搬送駆動源として回転量や回転速度を制御可能なモータを含む。こうしたモータとして、例えばステッピングモータやサーボモータを採用することが可能である。【００６３】
次に図４〜６を参照しながら、集積機構４４による紙幣の集積動作について説明する。先ず、第１〜第３スタッカ３１〜３３のいずれかから繰り出された紙幣（第１の紙幣６１）は、上流側搬送路４１１ａから下流側搬送路４１１ｂに搬送され、戻り搬送路４１２への分岐位置へと至る。このときに分岐部材４３４は、図４に示すように、傾斜状態とされるため、第１の紙幣６１は、戻り搬送路４１２へと搬送される。そうして、第１の紙幣６１は、その戻り搬送路４１２上の所定の待機位置４５に位置付けられる。【００６４】
次いで、第１の紙幣６１を待機状態にしたまま、第１〜第３スタッカ３１〜３３のいずれかから別の紙幣（第２の紙幣６２）を繰り出して、その第２の紙幣６２を、上流側搬送路４１１ａ上で入出金口２１に向かって搬送する。第２の紙幣６２は紙幣検出センサ５により検出され、これによって、第２の紙幣６２の先端がセンサ位置に到達したことが検出される。【００６５】
紙幣検出センサ５の検出結果を受けて、制御部２５は第１及び第２搬送駆動部４２１，４２２を制御し、それによって、戻り搬送路４１２上の第１の紙幣６１と、上流側搬送路４１１ａ上の第２の紙幣６２とを、互いに同期させて搬送する。そうして、図５に示すように、下流側搬送路４１１ｂと戻り搬送路４１２との合流位置において、二枚の紙幣６１，６２の先端同士を揃える。その状態で、二枚の紙幣６１，６２をそのまま下流側搬送路４１１ｂに沿って搬送することにより、第１及び第２の紙幣６１，６２の先端同士を揃えて重ね合わせた束にする。【００６６】
紙幣の束６１，６２は下流側搬送路４１１ｂを入出金口２１に向かって搬送されることになると共に、再び戻り搬送路４１２側に搬送される。紙幣の束６１，６２は前記待機位置４５に位置付けられる（図６参照）。そうして、新たな紙幣（第３の紙幣６３）が紙幣検出センサ５によって検出されることに応じて、前述したように、紙幣束６１，６２と第３の紙幣６３とをそれぞれ搬送することによって、合流位置において、それらの先端同士を揃えて重ね合わせる。【００６７】
このようにループ状搬送路を含む集積機構４４では、紙幣又は紙幣の束をそのループ状搬送路４４上で周回させる度に、新たな紙幣を次々と重ね合わせて束にすることができる。このときに、集積機構４４は、紙幣の先端同士を揃えて重ね合わせることができるため、紙幣の大きさが互いに異なっていてもそれらを揃えた束を作成することができる。【００６８】
次に、前記構成の入出金機１における各処理について、図７〜図１１を参照しながら説明する。図７は入金処理における紙幣の搬送経路を示している。入金処理のときには、ユーザにより、入出金口２１から一枚ずつ紙幣が投入される。投入された紙幣は、識別部２２において識別される。その識別によって入金可能な紙幣は、主搬送路４１１に沿ってスタッカ側に搬送される。一方、入金不可のリジェクト紙幣は、入出金口２１から払い出される。【００６９】
スタッカ側に搬送された紙幣は、制御部２５が、識別部２２における識別結果に応じて分岐部材４３１，４３２，４３３を制御することにより、第１〜第３スタッカ３１〜３３及び回収部３４５のいずれかに収納されることになる。【００７０】
図８は、一枚の紙幣を入出金口２１から払い出す払出処理を示している。この払出処理は、指定された金種の紙幣を各スタッカ３１〜３３から繰り出してユーザに払い出す、いわゆる出金処理、及び、前記の入金処理において入金のキャンセル操作が行われたときに、投入された紙幣をユーザに戻すキャンセル処理の２つの処理に相当する。【００７１】
つまりこの払出処理では、第１〜第３のいずれかのスタッカ３１〜３３から繰り出された紙幣は、主搬送路４１１に沿って搬送されて入出金口２１を通じて払い出される。【００７２】
図９は、各スタッカ３１〜３３に対して紙幣を補充するための補充処理を示している。この補充処理では、補充部３４１内に紙幣を収納したカセット３４を筐体２に対し装着し、そこに収納されている紙幣を、各スタッカ３１〜３３に収納する。尚、補充部３４１には、金種が混合した状態で、紙幣を収納しておけばよい。【００７３】
具体的に、補充処理では、補充部３４１から一枚ずつ繰り出された紙幣は、補充部用分岐搬送路４１３及び戻り搬送路４１２を通って下流側搬送路４１１ｂへと至り、識別部２２において識別される。その識別によって収納可能な紙幣は、主搬送路４１１に沿ってスタッカ側に搬送されて、例えば識別された金種に対応するスタッカ３１〜３３に収納される（同図の実線の矢印参照）。一方、収納不可と識別されたリジェクト紙幣は、主搬送路４１１から回収部３４５に搬送されてそこに収納される（同図の破線の矢印参照）。【００７４】
この補充処理では、一つのカセット３４によって、入出金機１の利用開始時等の初期の運用金を各スタッカ３１〜３３に一括して収納させることができ、利便性が高い。しかもカセット３４が一つであるため、それの運搬が容易であると共に、盗難に対する対策も講じやすいという利点がある。【００７５】
図１０は、各スタッカ３１〜３３に収納されている紙幣をカセット３４の回収部３４５に収納する回収処理を示している。この回収処理では、各スタッカ３１〜３３から一枚ずつ繰り出された紙幣が、上流側搬送路４１１ａ上を入出金口２１に向かって搬送された後、スイッチバックされる。その後、紙幣は、上流側搬送路４１１ａから回収部３４５へと搬送されてそこに収納される。このようにして各スタッカ３１〜３３に収納されている全ての紙幣が回収部３４５に収納されれば、カセット３４が筐体２から取り外されて、入出金機１内の紙幣が回収されることになる。【００７６】
尚、回収処理においては、各スタッカ３１〜３３から一枚ずつ繰り出された紙幣を識別部２２にまで搬送し、そこで識別及び計数した上で、回収部３４５に収納してもよい。【００７７】
図１１は、二枚以上の紙幣を払い出すときの払出処理の手順を示している。この払出処理も、前記と同様に、出金処理、及び、キャンセル処理の２つの処理に相当する。この払出処理では、前記の集積機構４４において二枚以上の紙幣の先端同士を揃えて重ね合わせた束にし、その束を入出金口２１から払い出す。尚、図１１では、第１スタッカ３１から繰り出された紙幣を払い出す場合を例示しているが、紙幣を繰り出すスタッカは第１スタッカ３１に限定されるものではなく、第１〜第３のいずれのスタッカ３１〜３３であってもよいことは言うまでもない。また、互いに異なる金種の紙幣を払い出す場合には、異なるスタッカ３１〜３３から紙幣が繰り出されることになる。【００７８】
この払出処理では先ず、工程Ｐ１において第１スタッカ３１から紙幣が一枚繰り出され、その紙幣は戻り搬送路４１２上の待機位置４５において待機される（工程Ｐ２参照）。【００７９】
次いで、第１スタッカ３１から次の紙幣が繰り出され（工程Ｐ３参照）、その紙幣が、主搬送路４１１上を、入出金口２１に向かって搬送される。そうして、前述したように、紙幣検出センサ５の検出結果に応じて、主搬送路４１１上の紙幣の搬送と、戻り搬送路４１２上の紙幣の搬送とが制御され、その合流位置において、先端同士を揃えた状態で二枚の紙幣が重ね合わされる（工程Ｐ４参照）。その二枚の紙幣からなる束は、分岐位置において戻り搬送路４１２に引き込まれて（工程Ｐ５参照）、前記待機位置４５に待機される（工程Ｐ６参照）。【００８０】
払い出す紙幣がさらに存在するときには、工程Ｐ６から工程Ｐ３に戻り、そのＰ３〜Ｐ６の各工程を繰り返す。こうすることで、新たな紙幣が、先端を揃えた状態で順次重ね合わされて束が作られる。一方、必要枚数の紙幣を重ね合わせたときには、工程Ｐ６から工程Ｐ７に移行し、分岐部材４３４を水平状態に切り替えることによって、紙幣の束を入出金口２１を通じて払い出す。【００８１】
尚、ここでは、工程Ｐ４の後に、常に工程Ｐ５及びＰ６へと移行することによって、紙幣の束を、戻り搬送路４１２に引き込むようにしているが、必要枚数の紙幣を重ね合わせたときには、工程Ｐ４から工程Ｐ７へと移行して、紙幣の束を、戻り搬送路４１２に引き込まずに、そのまま入出金口２１から払い出すようにしてもよい。【００８２】
以上説明したように、この入出金機１では、複数枚の紙幣が払い出されるときには、その複数枚の紙幣の先端同士を揃えた束にして、入出金口２１から払い出される。このためユーザは、紙幣の大きさが互いに異なる場合であっても、その紙幣の束を掴みやすく、また、紙幣の掴み漏れがなくなる。【００８３】
またそのように紙幣を積み重ねて束にする集積機構は、ループ状搬送路４４を含んで構成されており、ループ状搬送路４４上で、紙幣及びその束を周回させることによって、紙幣を集積している。このため、集積機構の構成が簡易になると共に、紙幣の集積を高速で行うことができる。【００８４】
しかも、ループ状搬送路４４の一部は、入出金口２１と各スタッカ３１〜３３とを互いに接続する主搬送路４１１によって構成されている。このため、例えば主搬送路４１１とは別に、ループ状の搬送路を設けて集積機構を構成する場合と比較して、集積機構の配置に要するスペースを節約することができる。【００８５】
また、ループ状搬送路４４の別の一部を構成する戻り搬送路４１２は、補充部用分岐搬送路４１３と接続されており、この戻り搬送路４１２は、主搬送路４１１とカセット３４（補充部３４１）とを互いに接続するための搬送路の一部を構成する。つまり、集積機構を構成するための戻り搬送路４１２を、それとは別の用途にも兼用している。このことにより、集積機構の配置に要するスペースがさらに節約され、その分、入出金機１を小型化することができる。【００８６】
また、紙幣を収納する収納部として、前記の入出金機１では、テープ巻き取り式のスタッカ（第１〜第３スタッカ３１〜３３）を採用している。このため、そのスタッカから紙幣を確実に一枚ずつ繰り出して、合流位置へと搬送することができる。これによって、紙幣の集積を確実に行い得るという利点がある。しかしながら、収納部は、テープ巻き取り式のスタッカに限定されるものではなく、紙幣の繰り出しが可能な収納部であれば、どのような構成の収容部であってもよい。例えば紙幣を繰り出すときに、二枚重なって繰り出す可能性がある場合は、繰り出した紙幣を合流位置に搬送するまでに、紙幣の重なりを検知するようにすればよい。そうすることで、紙幣を確実に一枚ずつ重ね合わせることができる。【００８７】
尚、前記の入出金機１は、払出処理時に、複数枚の紙幣を束にしている。これとは異なり、入金処理時に、前記のループ状搬送路４４を利用して紙幣の束を作成し、その束を一時的に保留するような構成としてもよい。こうすることで、入金のキャンセル操作が行われたときには、一時保留している紙幣の束をそのまま入出金口から払い出すことができる。尚、この構成は、各搬送路４１１，４１２の駆動源の構成を、前記の構成から変更することで実現し得る。また、入金の確定操作が行われたときには、作成した束を補充部３４１に一旦収納し、そこのベルト搬送機構３４３を用いて、前記の束の紙幣を一枚一枚繰り出すようにすればよい。こうすることで、一時保留時に紙幣の束を作成しても、各スタッカ３１〜３３に対して紙幣を一枚ずつ収納させることが実現する。【００８８】
また、束を作成する際には、紙幣の前端同士を揃えることに限定されず、前記の集積機構４４は、紙幣の任意の箇所同士を揃えて重ね合わせることが可能である。従って、紙幣の後端同士を揃えて重ね合わせることも可能であるし、また、紙幣の中央同士を揃えて重ね合わせることも可能である。【００８９】
本発明に係る紙葉類処理装置の処理対象は、紙幣に限定されるものではない。処理装置は、紙幣のほか、小切手やチケット等の紙葉類全般を処理対象とすることができる。【００９０】
また、紙葉類処理装置は、紙葉類の収納（入金に対応）及び紙葉類の排出（出金に対応）の双方を行う装置に限らず、紙葉類の収納のみ、又は、紙葉類の排出のみを行う装置に適用することも可能である。【００９１】
紙葉類処理装置はまた、例えば各種店舗におけるセルフレジスター装置、各種の券売機、パーキングにおける精算機等の、種々の装置に適用し得る。
【産業上の利用可能性】
【００９２】
以上説明したように、本発明は、複数の紙葉類を揃えた状態で束にすることを、迅速に行うことができ、しかもそのために大きなスペースを必要としないため、各種の紙葉類を処理する装置及び処理方法として有用である。
【図１】
2009118782.tif 000003
【図２】
2009118782.tif 000004
【図３】
2009118782.tif 000005
【図４】
2009118782.tif 000006
【図５】
2009118782.tif 000007
【図６】
2009118782.tif 000008
【図７】
2009118782.tif 000009
【図８】
2009118782.tif 000010
【図９】
2009118782.tif 000011
【図１０】
2009118782.tif 000012
【図１１】
2009118782.tif 000013
【国際調査報告】
2009118782.tif 000014
2009118782.tif 000015